(57)【特許請求の範囲】
【請求項１】
電気手術デバイスであって、
ｉ．遠位端部を有する第１の作動アーム、および
ｉｉ．遠位端部を有する第２の作動アーム
を含む鉗子と、
遠位端部を有するブレードと、
を備え、
前記電気手術デバイスは、
Ａ．前記第１の作動アームと前記第２の作動アームとが、互いに向かう方向において自由に動いて、それらの間の組織を把持する第１の機械的構成と、
Ｂ．前記第１の作動アームと前記第２の作動アームとが、前記第１の作動アームおよび前記第２の作動アームの互いに向かう方向における動きを防ぐアーム固定機構によって、共に固定される第２の機械的構成と、
Ｃ．前記第１の作動アームと前記第２の作動アームとが共に固定され、それにより、前記第１の作動アームと前記第２の作動アームとが互いに向かう方向において動くことが防がれ、前記ブレードの前記遠位端部が、前記第１の作動アームおよび前記第２の作動アームの前記遠位端部と実質的に同一平面となり、または前記ブレードの前記遠位端部が、前記第１の作動アームおよび前記第２の作動アームの前記遠位端部を越えて伸長する第３の機械的構成と、
の間で切り替えられることが可能であり、
前記電気手術デバイスは、
前記電気手術デバイスが前記第１の機械的構成および前記第２の機械的構成にある場合、前記第１の作動アームと前記第２の作動アームとの間に双極電流を送り、前記ブレードから電流が流れることを防止し、
前記電気手術デバイスが前記第３の機械的構成にある場合、前記ブレードを通じて双極電流を送り、前記第１の作動アーム、前記第２の作動アーム、または、両方の作動アームを通じて電流を戻すように構成され、
前記アーム固定機構は、前記第１の作動アームと前記第２の作動アームが互いに動くことができないように、前記第１の作動アームを前記第２の作動アームに係止する、
ことを特徴とする電気手術デバイス。
【請求項２】
請求項１に記載の電気手術デバイスであって、前記電気手術デバイスが、前記第２の機械的構成または前記第３の機械的構成にあり、ブレード伸長機構が、前記ブレードに対して接続される第１のスライダである場合、前記アーム固定機構は、前記第１の作動アームおよび前記第２の作動アームを共に固定する第２のスライダであることを特徴とする電気手術デバイス。
【請求項３】
請求項２に記載の電気手術デバイスであって、前記電気手術デバイスは、前記第１のスライダと前記第２のスライダとの両方を、連動して動くように接続するシャトルを含むことを特徴とする電気手術デバイス。
【請求項４】
請求項１から３のいずれか１項に記載の電気手術デバイスであって、前記第１の機械的構成における前記ブレードは後退され、それにより、前記ブレードの遠位端部が前記第１の作動アームおよび前記第２の作動アームに近接して位置することを特徴とする電気手術デバイス。
【請求項５】
請求項１から４のいずれか１項に記載の電気手術デバイスであって、前記第２の機械的構成における前記ブレードは後退され、それにより、前記ブレードの遠位端部が前記第１の作動アームおよび前記第２の作動アームに近接して位置することを特徴とする電気手術デバイス。
【請求項６】
請求項１から５のいずれか１項に記載の電気手術デバイスであって、前記ブレードは、前記第３の構成においては、前記第１の作動アームおよび前記第２の作動アームの前記遠位端部と実質的に同一平面となり、第４の構成においては、前記第１の作動アームおよび前記第２の作動アームを越えて伸長することを特徴とする電気手術デバイス。
【請求項７】
請求項１から６のいずれか１項に記載の電気手術デバイスであって、前記アーム固定機構は、選択的に係合可能な電磁ラッチを備え、
前記電磁ラッチが作動および付勢されない場合、前記第１の作動アームおよび前記第２の作動アームは、これらの間の組織を把持するように、互いに向かう方向において自由に動くことができ、前記電磁ラッチが作動および付勢される場合、前記第１の作動アームおよび前記第２の作動アームは、力によって互いに向かって付勢されることを特徴とする電気手術デバイス。
【請求項８】
請求項１から７のいずれか１項に記載の電気手術デバイスであって、前記アーム固定機構は、選択可能な機械的ラッチであって、
前記第１の作動アームに接続されたスライド可能なラッチプレートと、
前記第２の作動アームに接続された係合舌部と、
を備える選択可能な機械的ラッチであり、
前記電気手術デバイスが前記第１の機械的構成にある場合、前記ラッチプレートは、前記第１の作動アームおよび前記第２の作動アームが、これらの間の組織を把持し、前記把持された組織を解放するように、互いに向かう方向および互いに離れる方向において自由に動くことを可能にする第１の位置にあり、前記電気手術デバイスが前記第２の機械的構成にある場合、前記ラッチプレートは、第２の位置にあり、前記係合舌部と係合して、前記第１の作動アームおよび前記第２の作動アームを固定して、前記第１の作動アームおよび前記第２の作動アームの互いに向かう方向における動きを防ぐことを特徴とする電気手術デバイス。
【請求項９】
請求項１から８のいずれか１項に記載の電気手術デバイスであって、前記電気手術デバイスは、
前記第１の機械的構成と、
前記第２の機械的構成と、
前記第１の作動アームおよび前記第２の作動アームが共に固定されて、前記第１の作動アームおよび前記第２の作動アームの互いに向かう方向または互いに離れる方向における動きを防ぎ、前記ブレードがブレード伸長機構によって伸長されて、前記第１の作動アームおよび前記第２の作動アームの前記遠位端部と実質的に同一平面となる前記第３の機械的構成と、
前記第１の作動アームおよび前記第２の作動アームが共に固定されて、前記第１の作動アームおよび前記第２の作動アームの互いに向かう方向または互いに離れる方向における動きを防ぎ、前記ブレードが、前記ブレード伸長機構によって伸長されて、前記第１の作動アームおよび前記第２の作動アームの前記遠位端部を越えて伸長する第４の機械的構成と、
の間で切り替えられることが可能であり、
前記電気手術デバイスは、
前記電気手術デバイスが前記第１の機械的構成または前記第２の機械的構成にある場合、前記第１の作動アームおよび前記第２の作動アームを通じて双極電流を送り、前記ブレードから電流が流れることを防止し、
前記電気手術デバイスが前記第３の機械的構成または前記第４の機械的構成にある場合、前記ブレードを通じて双極電流を送り、前記第１の作動アーム、前記第２の作動アーム、または、両方の作動アームを通じて電流を戻すように構成される、
ことを特徴とする電気手術デバイス。
【請求項１０】
請求項９に記載の電気手術デバイスであって、前記第１の作動アームおよび前記第２の作動アームは、前記第３の機械的構成、および前記第４の機械的構成において、前記ブレードの対向する側において伸長し、前記ブレードを把持することを特徴とする電気手術デバイス。
【請求項１１】
電気手術デバイスであって、
ｉ．第１の作動アーム、および
ｉｉ．第２の作動アーム
を含む鉗子と、
ブレードと、
固定機構と、
を備え、
前記電気手術デバイスは、
前記第１の作動アームと前記第２の作動アームとが、互いに向かう方向において自由に動いて、これらの間の組織を把持する第１の機械的構成と、
前記第１の作動アームと前記第２の作動アームとが共に固定されて、前記第１の作動アームおよび前記第２の作動アームの互いに向かう方向または互いに離れる方向における動きを防ぎ、前記ブレードが、ブレード伸長機構によって伸長されて、前記作動アームの端部と同一平面となる第３の機械的構成と、
前記第１の作動アームと前記第２の作動アームとが共に固定されて、前記第１の作動アームと前記第２の作動アームの互いに向かう方向または互いに離れる方向における動きを防ぎ、前記ブレードが、ブレード伸長機構によって伸長されて、前記作動アームの前記遠位端部を越えて伸長する第４の機械的構成と、
の間で切り替えられることが可能であり、
前記電気手術デバイスは、
前記電気手術デバイスが前記第１の機械的構成にある場合、前記第１の作動アームおよび前記第２の作動アームを通じて双極電流を送り、前記ブレードから電流が流れることを防ぎ、
前記電気手術デバイスが前記第３の機械的構成または前記第４の機械的構成にある場合、前記ブレードを通じて双極電流を送り、前記第１の作動アーム、前記第２の作動アーム、または、両方の作動アームを通じて電流を戻すように構成され、
前記固定機構は、前記第１の作動アームと前記第２の作動アームが互いに動くことができないように、前記第１の作動アームを前記第２の作動アームに係止する、
ことを特徴とする電気手術デバイス。
【請求項１２】
請求項１１に記載の電気手術デバイスであって、前記電気手術デバイスは、
前記第１の機械的構成と、
前記第１の作動アームと前記第２の作動アームとが、前記第１の作動アームおよび前記第２の作動アームの互いに向かう方向における動きを防ぐアーム固定機構によって、共に固定される第２の機械的構成と、
前記第３の機械的構成と、
前記第４の機械的構成と、
の間で切り替えられることが可能であり、
前記電気手術デバイスは、
前記電気手術デバイスが前記第１の機械的構成または前記第２の機械的構成にある場合、前記第１の作動アームおよび前記第２の作動アームを通じて双極電流を送り、前記ブレードから電流が流れることを防ぎ、
前記電気手術デバイスが前記第３の機械的構成または前記第４の機械的構成にある場合、前記ブレードを通じて双極電流を送り、前記第１の作動アーム、前記第２の作動アーム、または、両方の作動アームを通じて電流を戻すように構成される、
ことを特徴とする電気手術デバイス。
【発明の詳細な説明】
【技術分野】
【０００１】
本教示は、一般に、複数の異なる構成へ機械的に再構成され、各機械的構成において１つ以上の異なる電気的構成が利用可能となるように電気的に再構成され得る電気手術デバイスに関する。
【背景技術】
【０００２】
典型的には、電気手術デバイスは、スタンドアロンの単極能力または双極能力を有する。したがって、外科医は、手術が始まる前に、単極能力を備えたデバイスまたは双極能力を備えたデバイスのどちらかを選択し得、外科医は、そのデバイスを使用して、単極電力または双極電力を印加することができる。例えば、外科医が単極デバイスを選択し、単極電力が外科手術にとって望ましくない場合、外科医は、単極電力を供給するデバイスを使用して手術を行っても、または双極能力を備えたデバイスへ切り替えてもよい。これらのデバイスの両方が、手術を行うために使用されてもよいが、デバイス間で切り替えること、および／または、異なる目的に対してより適し得るデバイスを使用することは、手術の流れを阻害し、手術において不必要な遅延を生じさせ、いくつかの場合には、最善ではないエネルギー源が使用される結果となる。
【０００３】
一般に、電気手術デバイスは、治療信号を生成し、治療電流が生成されるように電気手術デバイスに電力を提供する発電機に接続される。しかしながら、使用され得る治療電流は、発電機によって限定され、したがって、発電機が、単一の治療電流を生成することのみが可能である場合、１つの治療電流のみが電気手術デバイスを通じて印加され得る。また、発電機は、２つの治療電流を生成することが可能であり得るのに、電気手術デバイスは、単一の治療電流を制御および印加することのみが可能であることがある。したがって、電気手術デバイスは、単一の治療電流のみを印加し得る。単一のデバイス内に単極能力と双極能力との両方を含むデバイスを生み出すために、いくつかの試みが行われてきた。こうしたデバイスは、デバイスを切り替えずに、単極能力と双極能力との間で切り替えられ得る。こうしたデバイスのうちのいくつかは、単極電流と双極電流との両方が印加され得るように、２つの機械的構成の間で再構成可能である。しかしながら、こうしたデバイスにおいて利用可能なモードの数は、デバイス上で利用可能なボタンの数によって制限されることがある。
【０００４】
また、いくつかの外科手術は、多くの異なるツールを必要とし、各ツールは、外科手術中に有用な１つ以上の機能を提供する。したがって、外科手術ごとに、複数の異なるツールが外科医によって使用されて、外科手術が行われ得る。ツールを変更することは、手術を引き伸ばすことがあり、または、外科医にある場所から目を離させ、手術を続ける前に、関心のある場所を再度突き止めるために付加的な時間または集中力を必要とすることがある。そのため、外科医が、ツールまたは視野を変更する必要なく、１つの機器を用いていくつかの工程を行うことができるように、機械的に再構成されることが可能なデバイスが必要である。
【０００５】
いくつかの電気手術機器の例は、米国特許第６，１１０，１７１号、第６，１１３，５９６号、第６，１９０，３８６号、第６，３５８，２６８号および第７，２３２，４４０号、ならびに米国特許出願公開第２００５／０１１３８２７号、第２００５／０１８７５１２号、第２００６／００８４９７３号、第２０１２／０１２３４０５号、第２０１４／０２７６７９５号および第２０１４／０２７６７９９号において見出され得、これらの全てを、あらゆる目的のために本願に引用して援用する。単極治療電流の印加と双極治療電流の印加との間で、および３つ以上の機械的構成の間で切り替えられ得る電気手術デバイスを有することは、魅力的であろう。観血手術において鉗子として使用され得、かつ、電気的切除、止血、凝固、保持、機械的切除、高周波療法、または、これらの組み合わせのために使用され得る電気手術デバイスを有することは、魅力的であろう。３つ以上の構成、好適には、４つ以上の構成において、２つ以上の、好適には、４つ以上の異なる治療電流を選択的に提供し得る電気手術デバイスが必要である。発電機が電気手術デバイスに供給する信号（すなわち、発電機モード）よりも多くの治療電流を生成する電気手術デバイスが必要である。電気手術デバイスが、発電機が供給する信号（すなわち、発電機モード）よりも少ない数の起動ボタンを有するにもかかわらず、発電機からの信号の全てを印加するように電気的に再構成されることが可能となるように、電気的に再構成可能な電気手術デバイスが必要である。
【発明の概要】
【課題を解決するための手段】
【０００６】
本教示は、現存するニーズのうちの１つ以上を、電気手術デバイスであって、（ｉ）第１の作動アームおよび（ｉｉ）第２の作動アームを含む鉗子と、ブレードとを備え、電気手術デバイスは、（Ａ）第１の作動アームと第２の作動アームとが、互いに向かう方向において自由に動いて、それらの間の組織を把持する第１の機械的構成と、（Ｂ）第１の作動アームと第２の作動アームとが、第１の作動アームおよび第２の作動アームの互いに向かう方向における動きを防ぐアーム固定機構によって、共に固定される第２の機械的構成と、（Ｃ）第１の作動アームと第２の作動アームとが共に固定され、それにより、第１の作動アームと第２の作動アームとが互いに向かう方向において動くことが防がれ、ブレードが、第１の作動アームおよび第２の作動アームの遠位端部と実質的に同一平面となり、または越えて伸長する第３の機械的構成との間で切り替えられることが可能であり、電気手術デバイスは、第１の作動アームと第２の作動アームとの間に双極電流を送り、電気手術デバイスが第１の機械的構成および第２の機械的構成にある場合、ブレードから電流が流れることを防止し、電気手術デバイスが第３の機械的構成にある場合、ブレードを通じて電流を送るように構成されることを特徴とする電気手術デバイスを提供することによって満たす。
【０００７】
本明細書における教示は、電気手術デバイスであって、（ｉ）第１の作動アームおよび（ｉｉ）第２の作動アームを含む鉗子と、ブレードとを備え、電気手術デバイスは、第１の作動アームと第２の作動アームとが、互いに向かう方向において自由に動いて、これらの間の組織を把持する第１の機械的構成と、第１の作動アームと第２の作動アームとが共に固定されて、第１の作動アームおよび第２の作動アームの互いに向かう方向または互いに離れる方向における動きを防ぎ、ブレードが、ブレード伸長機構によって伸長されて、作動アームの端部と同一平面となる第２の機械的構成と、第１の作動アームと第２の作動アームとが共に固定されて、第１の作動アームと第２の作動アームの互いに向かう方向または互いに離れる方向における動きを防ぎ、ブレードが、ブレード伸長機構によって伸長されて、作動アームの遠位端部を越えて伸長する第３の機械的構成との間で切り替えられることが可能であり、電気手術デバイスは、第１の作動アームおよび第２の作動アームを通じて双極電流を送り、電気手術デバイスが第１の機械的構成にある場合、ブレードから電流が流れることを防ぎ、電気手術デバイスが第２の機械的構成または第３の機械的構成にある場合、ブレードを通じて電流を送るように構成されることを特徴とする電気手術デバイスを提供する。
【０００８】
本明細書における教示は、単極治療電流の印可と双極治療電流の印可との間で、かつ、３つ以上の機械的構成の間で切り替えられ得る電気手術デバイスを提供する。本明細書における教示は、観血手術において鉗子として用いられ得、電気切除、止血、凝固、把持、機械的切除、高周波療法、または、これらの組み合わせのために用いられ得る電気手術デバイスを提供する。本明細書における教示は、３つ以上の構成、好適には、４つ以上の構成において、２つ以上、好適には、４つ以上の異なる治療電流を選択的に提供し得る電気手術デバイスを提供する。本明細書における教示は、発電機が電気手術デバイスに供給する信号（すなわち、発電機モード）よりも多くの治療電流を生み出す電気手術デバイスを提供する。本明細書における教示は、電気的に再構成可能な電気手術デバイスであって、それにより、電気手術デバイスが、発電機が供給する信号（すなわち、発電機モード）よりも少ない起動ボタンを有するにもかかわらず、発電機からの信号の全てを印加するように電気的に再構成されることが可能である電気手術デバイスを提供する。
【図面の簡単な説明】
【０００９】
【図１Ａ】第１の構成における電気手術デバイスを例示する図である。
【図１Ｂ】第２の構成における、図１Ａの電気手術デバイスを例示する図である。
【図１Ｃ】第３の構成における、図１Ａの電気手術デバイスを例示する図である。
【図１Ｄ】第４の構成における、図１Ａの電気手術デバイスを例示する図である。
【図２Ａ】解除状態にあり、かつ、後退したブレードを有する電気手術デバイスを例示する図である。
【図２Ｂ】係止状態にあり、かつ、後退したブレードを含む電気手術デバイスを例示する図である。
【図２Ｃ】係止状態にあり、かつ、ブレードが実質的に同一平面となる構成にある電気手術デバイスを例示する図である。
【図２Ｄ】係止状態にあり、かつ、ブレードが伸長された状態にある電気手術デバイスを例示する図である。
【図３】電気手術デバイスを係止および解除する、後半部上の電磁ラッチシステムを含む電気手術デバイスを例示する図である。
【図４】電気手術デバイスを係止および解除する、前半部上の電磁ラッチシステムを含む電気手術デバイスを例示する図である。
【図５】選択可能な固定機構を備えた電気手術デバイスを例示する図である。
【発明を実施するための形態】
【００１０】
本明細書において提示される解説および例示は、他の当業者に、本教示、その原理、および、その実際の用途を知らせるように意図される。当業者は、特定の使用の要件に最適となり得るように、本教示をその多くの形態において適合および適用し得る。したがって、記載されるような本教示の具体的な実施形態は、本教示を網羅し、または限定することを意図されない。そのため、本教示の範囲は、上記の説明を参照して決定されるべきではなく、その代わりに、添付の特許請求の範囲を参照しつつ、そのような特許請求の範囲に認められる均等物の全範囲と共に決定されるべきである。特許出願および特許公報を含む、全ての論文および参考文献の開示内容を、あらゆる目的のために引用して援用する。他の組み合わせも、下記の特許請求の範囲から収集されるように可能であり、これらも、この明細書内に引用して援用する。
【００１１】
本出願は、２０１５年８月２０日に出願された米国仮特許出願第６２／０３９，５０６号の利益を主張し、当該出願の内容を両方とも、あらゆる目的のためにその全体を引用して援用する。本教示は、電気手術デバイスに関する。好適には、本教示は、電気手術デバイスと、電気手術システムを形成する関連付けられた構成部品とに関する。電気手術システムは、本明細書において教示されるデバイスのうちの１つ以上を含む任意のシステムであり得る。好適には、電気手術システムは、少なくとも電気手術デバイスを含む。電気手術システムは、本明細書において教示される１つ以上のハンドピースと、１つ以上の接地パッドと、１つ以上の発電機と、１つ以上の電気手術デバイスと、１つ以上の隣接するハンドピース構成部品またはこれらの組み合わせと、電気手術システム内に組み込まれる各デバイスの本明細書における教示とを含み得る。電気手術デバイスは、外科医によって外科手術を行うために使用され得る任意のデバイスであってよい。電気手術デバイスは、２つ以上の構成の間で、２つ以上の状態の間で、または、これらの両方の間で切り替えられるように機能し得る。好適には、電気手術デバイスは、３つ以上の構成の間で切り替えられ得、各構成は、少なくとも１つのモードを含み、好適には、構成のうちのいくつかは、２つ以上のモードを含む。例えば、電気手術デバイスは、単極構成、双極構成、中間構成、または、これらの３つの組み合わせの間で切り替えられてもよい。電気手術デバイスは、片手を用いて２つ以上の構成の間で切り換えられ得、それにより、ユーザがもう一方の手の必要なしに、手術を中断することなしに、または、これらの両方なしに、構成の間で切り換え得る任意のデバイスであり得る。電気手術デバイスは、両手で使用され、構成の間で両手で切り換えられ、または、これらの両方であり得る、任意のデバイスおよび／または構成であってもよい。電気手術デバイスは、切除し、止血を行い、凝固させ、乾燥させ、高周波治療し、電気焼灼し、または、これらの組み合わせのために使用され得る。電気手術デバイスは、双極能力、単極能力、または、これらの両方を含む任意のデバイスであり得る。電気手術デバイスは、観血手術において使用され得る。電気手術デバイスは、その電気手術能力に加えて、非電気手術的な目的のために使用され得る。例えば、電気手術デバイスは、対象物、臓器、血管、皮膚、組織など、または、これらの組み合わせを把持するために使用され得る、鉗子、ピンセット、または、これらの両方として使用されてもよい。別の例において、デバイスの１つ以上の部品は、鋭い刃を含んでもよく、外科用メスの鋭い刃と同様に、切除のために使用されてもよい。電気手術デバイスは、ハンドピースと、発電機とを含み得る。電気手術デバイスは、ハンドピースと発電機との間で伝わる、１つ以上の治療信号、治療電流、または、これらの両方を有してもよい。
【００１２】
ハンドピースは、ユーザが把持し、制御ボタンのうちの１つ以上、１つ以上のスイッチ、１つ以上の電気コネクタ、１つ以上のダイオード、１つ以上のコンデンサ、または、これらの組み合わせを収容する、デバイスの任意の部分であり得る。ハンドピースは、制御回路、中央処理装置、または、これらの両方のうちの全部または一部を収容し得る。ハンドピースは、電気手術デバイス、電気システム、または、これらの両方と発電機とを電気的に接続し得る。ハンドピースは、電気手術デバイスの機能要素を物理的に接続すると共に、電気手術デバイスの要素を電気的に接続し得る。ハンドピースは、電気手術デバイスの本体部分、２つ以上の作動アーム間の部分であってもよく、ブレードを収容してもよく、ブレードを伸長または後退させてもよく、作動アームを動かしてもよく、２つ以上の作動アーム間のコネクタであってもよく、回路の全部もしくは一部を収容してもよく、１つ以上の制御ボタンを含んでもよく、または、これらの組み合わせであってもよい。好適には、ハンドピースは、外科医が把持し、１つ以上のボタンを押下して電力を所望の場所に印加する部分、または起動ボタン、スイッチ、フットペダル、もしくは、これらの組み合わせが駆動された場合に電力を印加する部分である。より好適には、ハンドピースは、電気手術デバイス、作動アーム、ブレード電極、または、これらの組み合わせに電力を供給するためのボタンと１つ以上の電気コネクタとの両方を含む中央セクションを有する。ハンドピースは、１つ以上の可動部材、１つ以上のハンドピース構成部品、または、これらの両方を含み得る。ハンドピースは、近位端部（例えば、外科医に最も近い端部）と、遠位端部（例えば、手術部位内へ伸長する、外科医から最も遠い端部）とを有する。ハンドピースの先端は、ハンドピースの遠位端部に位置する。ハンドピースは、外科医が１つ以上の治療信号を供給することを可能にし得る。
【００１３】
１つ以上の治療信号は、信号、電力、導通、または、これらの組み合わせであってもよい。１つ以上の治療信号は、電気手術治療電流（以下、治療電流）であってもよい。１つ以上の治療信号は、ハンドピースから発電機へ、または、この逆へ伝わり得る。１つ以上の治療信号は、ハンドピースによって形成されても、発電機によって形成されても、または、これらの両方であってもよい。治療信号は、治療電流であってもよい。好適には、治療信号は、ユーザがある工程を行い、治療電流、エネルギー、または、これらの両方が生成されるように信号が伝達されていることを示す。治療信号は、１つ以上の治療電流が生み出され、その治療電流が電気手術に用いられ得るように、信号を提供し得る。治療信号は、起動回路が第１のスイッチ状態、第２のスイッチ状態、第３のスイッチ状態にある場合、ハンドピースが第１の位置、第２の位置、第３の位置、第４の位置にある場合、またはスイッチ状態とハンドピース位置との組み合わせで、伝導され得る。治療信号は、ハンドピースが第１の構成、第２の構成、第３の構成、第４の構成、または、これらの組み合わせにある場合に、ハンドピースを通じて伝導され得る。治療信号は、単極治療信号、双極治療信号、または、これらの両方であってもよい。単極治療信号は、電気手術デバイスによって印加された場合に、電気手術デバイスの１つの極から、離れた位置、電気手術デバイスの外部、ハンドピースの外部、または、これらの組み合わせに位置する別の極へ伝わる任意の信号であり得る。双極治療信号は、電気手術デバイスによって印加された場合に、ハンドピースの１つの構成要素から、ハンドピースの別の構成要素へ（例えば、２つの作動アーム間で、ブレード電極から作動アームの一方もしくは両方へ、または、これらの組み合わせ）伝わる任意の信号であり得る。
【００１４】
発電機は、電力、治療電流、制御信号、電気手術治療信号、または、これらの組み合わせを供給する任意のデバイスであり得る。発電機は、ハンドピースに電気的に接続されて、電気手術治療信号、電力、治療電流、または、これらの組み合わせを提供するように、および／または受け取るように機能し得る。発電機は、単一の治療電流のみを生み出すことが可能であってもよい。発電機は、２つの治療電流を生み出すことが可能であってもよい。発電機は、２つ以上の電力接続、３つ以上の電力接続、または４つ以上の電力接続を含み得る。電力接続は、ハンドピースの１つ以上の電力コネクタが指し込まれて、電力、制御信号、治療電流、または、これらの組み合わせが電気手術デバイスへ供給されるような、発電機の任意のポートであり得る。発電機は、電気手術デバイスの所望の構成に基づいて、電力、信号、または、これらの両方が電気手術デバイスに対して選択的に印加され得るように、電力接続のうちの１つ以上の間で切り換えられ得る１つ以上のスイッチを含み得る。発電機は、中央処理装置（ＣＰＵ）、一連の内部スイッチ、または、これらの両方を含み得る。ＣＰＵ、スイッチ、または、これらの両方は、電気手術デバイスが本明細書において議論されるような所望の機能を行うために用いられ得るように、電力、信号、電気的再構成、２つ以上の治療電流間のスイッチ、２つ以上の構成間のスイッチ、２つ以上の治療信号間のスイッチ、または、これらの組み合わせを電気手術デバイスに提供する任意のデバイスであり得る。ＣＰＵは、電気手術デバイスによる再構成に応じて、第１の構成、第２の構成、第３の構成、第４の構成、単極構成、双極構成、非電気手術構成、または、これらの組み合わせの間で発電機を電気的に切り替えるために用いられ得る。
【００１５】
第１の構成、第２の構成、第３の構成、および第４の構成は、電気手術デバイスが機械的に再構成され、電気的に再構成され、信号的に再構成され、および／もしくは信号的に異なり、または、これらの組み合わせとなるような、任意の構成であってよい。第１の構成、第２の構成、第３の構成、および第４の構成は、本明細書において議論される様々な構成のうちの任意のものであってよい。第１の構成は、第１の治療電流を提供し得る。好適には、電気手術デバイスが第１の構成にある場合、電気手術デバイスは、第１の治療電流のみを提供する。第１の治療電流は、単極エネルギーおよび／または単極電流であってもよい。好適には、第１の治療電流は、双極エネルギーおよび／または双極電流である。双極エネルギーは、印加中に、電気手術デバイスの１つの極から、電気手術デバイスの別の極へ伝わる任意の電源であり得る。別の言い方をすれば、双極エネルギーは、ハンドピースの１つの構成要素から、ハンドピースの別の構成要素へ伝わるエネルギーである。例えば、ハンドピース上の２つの作動アーム間で伝わるエネルギーは、双極エネルギーであり、または、ブレード電極から作動アームへ伝わるエネルギーは、双極エネルギーである。第１の電気的構成は、１つ以上の第１の起動ボタンを電気的に切断することによって、起動回路の全部もしくは一部を電気的に切断することによって、１つ以上の第１の起動ボタンを覆うことによって、ブレード電極を電気的に切断することによって、作動アームのうちの一方もしくは両方を電気的に切断することによって、ブレード電極をリターンパッドを用いてショートさせることによって、または、これらの組み合わせによって、停止され得る。第１の構成において、第１の作動アームおよび第２の作動アームは、互いに対して可動（すなわち、横方向に可動）であり得る。好適には、第１の作動アームおよび第２の作動アームは、同じ平面内で、直接互いに向かって、および直接互いから離れて可動である。第１の作動アームおよび第２の作動アームは、長手方向に可動（すなわち、作動アームの長さに沿って可動）であってもよい。好適には、第１の作動アームおよび第２の作動アームは、長手方向に固定されており、第１の構成において伸張された位置にある。第１の作動アームおよび第２の作動アームは、回転方向に固定されていてもよい（すなわち、それぞれの作動アームの長手方向軸を中心に回転しなくてもよい）。第１の構成において、ブレードは後退され得る。例えば、ブレードは、ブレードが作動アームに近接して位置するように、電気手術デバイスの近位端部に向かって長手方向に動かされてもよい。ブレードは、第１の作動アームおよび第２の作動アームに近接して位置してもよい。ブレードは、両方の作動アームの全長がブレードの遠位となるように位置してもよい。例えば、ブレードの遠位端部または先端は、第１の作動アームおよび第２の作動アームの近位側に位置してもよい。電気手術デバイスは、第１の構成から第２の構成、第３の構成、または第４の構成へ、機械的に再構成され得る。
【００１６】
第２の構成は、本明細書において議論される治療電流のうちの任意のもの（例えば、第１の治療電流、第２の治療電流、第３の治療電流、または第４の治療電流）を提供し得る。好適には、第２の構成は、第１の治療電流のみを印加する。第２の構成は、プローブとなり、およびプローブとして機械的に動作するように機能し、または１つ以上の治療電流を関心のある場所（例えば、解剖学的特徴部）に提供し得る。好適には、第２の構成は、関心のある特徴部を把持し、治療電流が関心のある特徴部に対して印加されるように、電力が印加される間、関心のある特徴部を作動アーム間に係止するように機能する。より好適には、作動アームは、血管などの解剖学的特徴部を把持し、治療電流が印加される間、一定量の圧力を印加する。印加される圧力の量は、一般に、用途ごとに同じであってもよく、それにより、プロセスが繰り返し可能となり、一貫性のある結果（例えば、切除または凝固）を提供する。第２の構成は、２つ以上の異なる治療電流を提供してもよい。第２の治療電流は、単極エネルギー（例えば、単極電流または単極電力）であってもよい。好適には、第２の治療電流は、双極エネルギー（例えば、双極電流または双極電力）であってもよい。第２の電気的構成は、１つ以上の第２の起動ボタンを電気的に切断することによって、起動回路の全部もしくは一部を電気的に切断することによって、１つ以上の第２の起動ボタンを覆うことによって、作動アームの一方もしくは両方を電気的に切断することによって、ブレード電極を電気的に切断することによって、第１の作動アームを第２の作動アームを用いてショートさせることによって、または、これらの組み合わせによって、停止され得る。第２の構成は、作動アームを閉じさせて拘束し、ブレード電極を後退させ得る。作動アームは、作動アームが開くこと、閉じること、回転すること、互いに対して動かすこと、または、これらの組み合わせを防ぐように、直接接続されてもよい。作動アームは、それらの間に絶縁体を含んでもよく、この絶縁体は、第１の作動アームと第２の作動アームとの間で接触されてもよい。第１の作動アームおよび第２の作動アームは、第１の作動アームおよび第２の作動アームが完全に閉じられた場合に、間隙または空間によって分離され得る。第１の作動アームおよび第２の作動アームの長さの一部は、間隙を含み得る。間隙は、ブレードを収め得る。間隙は、解剖学的特徴部がそれらの間で把持された場合に、解剖学的特徴部が機械的に切除されず、解剖学的特徴部が電気的に切除または凝固され得るように作動アーム間に把持されるように存在し得る。ブレードの遠位端部、先端、または、これらの両方は、作動アームに近接して位置し得る。例えば、作動アームは各々、アーム部を含む長さを有してもよく、アーム部は、アーム部を間に挟んで遠位端部と近位端部とを含み、ブレードは、作動アームの近位端部に近接して位置してもよい。第２の構成における作動アームは、アーム固定機構によって、拘束され、動きが防がれ、または、これらの両方であり得る。アーム固定機構は、本明細書において教示されるような任意のデバイスであってもよい。ブレードは、本明細書において教示されるようなブレード伸長機構によって後退位置へ動かされ得る。第２の構成は、第３の構成または第４の構成へ変形され得る。
【００１７】
第３の構成は、外科医が１つ以上の解剖学的特徴部を動かすことを支援するように、１つ以上の治療電流を１つ以上の解剖学的特徴部に提供するように、または、これらの両方であるように機能し得る。第３の構成は、プローブであり得る。第３の構成は、第２の構成と異なる形状をしたプローブとして用いられるように機能し得る。例えば、プローブは、第２の構成におけるプローブよりも鈍くてもよく、第２の構成におけるプローブと異なる厚み、異なる直径、または、これらの組み合わせを有してもよい。第３の構成は、１つ以上の異なる治療電流を１つ以上の関心のある特徴部に提供するように機能し得る。好適には、第３の構成は、２つ以上の治療電流、より好適には、４つの異なる治療電流を提供する。第３の構成は、双極切除電流、双極凝固電流、単極切除電流、単極凝固電流、または、これらの組み合わせを提供してもよい。第３の構成は、ブレードからの治療電流を、第１の作動アーム、第２の作動アーム、または、これらの両方に提供し得る。第３の構成は、第１の作動アームと第２の作動アームとの間に治療電流を提供し得る。例えば、治療電流は、治療電流が第１の作動アームから第２の作動アームを通る際に、ブレードを迂回してもよい。第３の構成は、ブレード、第１の作動アーム、第２の作動アーム、または、これらの組み合わせからの治療電流を、遠隔電極に提供し得る。第３の構成は、第１の作動アーム、第２の作動アーム、または、好適には、これらの両方の遠位端部と実質的にぴったりと重なった、または、わずかに突き出た、ブレードの遠位端部を有し得る（すなわち、約３ｍｍ以下、約２ｍｍ以下、約１ｍｍ以下、好適には、約０．７５ｍｍ以下、および、最も好適には、約０ｍｍ）。好適には、ブレード、第１の作動アーム、第２の作動アームの遠位端部は全て、実質的に１直線上に存在する。ブレードは、ブレード伸長機構によって、作動アームと共に近位位置へ伸長され得る。ブレードは、作動アームと共に鈍い先端を形成してもよい。ブレードは、作動アーム間に先鋭な先端部を作り出してもよい。ブレードは、作動アーム、アーム固定機構、または、これらの両方によって、適切な位置に係止され得る。ブレードは、ブレードが作動アームに対して動くことが防がれるように、両側が作動アームによって接触され得る。ブレードは、作動アームがブレードと接触する際に、作動アームがブレードに直接接触しないように、一方の側または両側に絶縁体を含み得る。ブレードは、作動アームのうちの一方または両方から電気的に絶縁され得る。第１の作動アーム、第２の作動アーム、または、これらの両方は、ブレードと、第１の作動アーム、第２の作動アーム、または、これらの両方とを電気的に絶縁する絶縁体を含み得る。電気手術デバイスは、第３の構成から、第１の構成、第２の構成、第４の構成、または、これらの組み合わせへ動かされ得る。
【００１８】
第４の構成は、外科医が１つ以上の解剖学的特徴部を動かすること、１つ以上の解剖学的特徴部を切除すること、１つ以上の解剖学的特徴部に電力を提供すること、または、これらの組み合わせにおいて支援するように機能し得る。第４の構成は、ブレード、ブレードを備えたプローブ、ブレード突起を備えたプローブ、または、これらの組み合わせとして形作られ得る。プローブは、ブレードが第１の作動アームおよび第２の作動アームの遠位へ伸長する先端部を有し得る。第４の構成は、１つ以上の異なる治療電流を１つ以上の関心のある特徴部に提供するように機能し得る。好適には、第４の構成は、２つ以上の治療電流、より好適には、４つの異なる治療電流を提供する。第４の構成は、双極切除電流、双極凝固電流、単極切除電流、単極凝固電流、または、これらの組み合わせを提供し得る。第４の構成は、ブレードから第１の作動アーム、第２の作動アーム、または、これらの両方へ治療電流を提供し得る。第４の構成は、第１の作動アームと第２の作動アームとの間に治療電流を提供し得る。第４の構成は、ブレード、第１の作動アーム、第２の作動アーム、または、これらの組み合わせから遠隔電極へ治療電流を提供し得る。第４の構成は、第１の作動アーム、第２の作動アーム、または、好適には、これらの両方を越えて伸長する、ブレードの遠位端部を有し得る（すなわち、約２ｍｍ以上、約３ｍｍ以上、好適には、約４ｍｍ以上、より好適には、約５ｍｍ以上、および最も好適には、約７ｍｍ以上）。ブレードは、ブレード伸長機構によって、作動アームの遠位位置へ、または作動アームの遠位へ伸長され得る。ブレードは、作動アームを越える先鋭な先端を形成し得る。ブレードは、作動アーム、アーム固定機構、または、これらの両方によって、適切な位置に係止され得る。ブレードは、ブレードが作動アームに対して動くことが防がれるように、両側が作動アームによって接触され得る。ブレードは、作動アームがブレードと接触する際に、作動アームがブレードに直接接触しないように、一方の側または両側に絶縁体を含み得る。ブレードは、作動アームのうちの一方または両方から電気的に絶縁され得る。第１の作動アーム、第２の作動アーム、または、これらの両方は、ブレードと、第１の作動アーム、第２の作動アーム、または、これらの両方とを電気的に絶縁する絶縁体を含み得る。
【００１９】
本デバイスは、単極構成にある場合、ハンドピース構成部品（例えば、ブレードのブレード電極）と、電気手術デバイスの手で保持される部分の外部の別の場所に位置し得るリターン電極とを通じて、ハンドピース構成部品と隣接するハンドピース構成部品とを通じて、または、これらの両方を通じて、電力を供給し得る。単極構成は、電気手術デバイスが単極電力を印加するために用いられ得る任意の構成であってよい。単極構成（および単極治療電流）は、電力が第１のデバイスから第２のデバイスへ供給され、この２つのデバイスが直接接続されていない任意の構成である。例えば、電力は、電気手術デバイスのブレードから接地パッドへ伝達し、電気手術デバイスおよび接地パッドは、発電機に接続されており、直接接続されていない。単極構成は、組織を切除し、血液および／もしくは体液を凝固させ、電気切除し、止血し、大きなエリアに電力を印加し、または、これらの組み合わせのために用いられ得る。単極構成は、特定のエリアを温め、両方の電極と接触する、両方の電極間の対象物を温め、または、これらの組み合わせのために用いられ得る。単極構成は、電力が使用中にブレード電極から電気手術デバイスに対して直接接続されていない１つ以上の接地パッドまたは１つ以上の電極に伝わり、それにより、電力が電気手術デバイスから遠隔の場所へ伝達するように使用され得る。ブレード電極は、双極電気手術と比較した場合に、あまり繊細でない手術、あまり局所的でない電気手術、または、これらの両方について用いられ得る。
【００２０】
本デバイスは、双極構成にある場合、デバイスの１つの部分から、デバイスの第２の部分へ電力を供給し得、それにより、電力の帰還路は、単極構成と比較した場合、相対的に短くなる。双極構成は、電気手術デバイスが双極電力を印加するために用いられ得る任意の構成であってよい。双極構成（および双極治療電流）は、電力がデバイスの１つの電極から同じデバイスの別の電極へ伝達し、電極が直接接続されていない構成である。例えば、電流は、１つの作動アームから第２の作動アームへ伝達し、ハンドピースは、２つの作動アームを互いに直接電気的に接続する。本デバイスは、双極構成にある場合、２つの作動アームなどの２つの局所化されたハンドピース構成部品間に電力を供給し得る。双極構成は、凝固させるために、止血のために、切除のために、高周波治療のために、または、これらの組み合わせのために用いられ得る。双極構成にある場合、電気手術デバイスは、２つの対向する作動アームを含み得る。２つの対向する作動アームは、鉗子として構成され得る。
【００２１】
鉗子は、１つ以上の対象物を把持するように、保持するように、圧搾するように、または、これらの組み合わせのために機能し得る。鉗子は、鉗子が１つ以上の対象物を把持するように用いられ得るように、鉗子を動かすために用いられ得る１つ以上のフィンガーグリップ（すなわち、はさみのように構成された）を含み得る。鉗子は、フィンガーグリップを備えなくてもよく、鉗子が閉じて対象物を把持するように、鉗子の両側に対して加えられる直接的な圧力によって駆動されてもよい。鉗子は、作動アームの各々が周りを回転するピボット点を含み得る。作動アームは、ピボット点の遠位側の部分と、ピボット点の近位側の部分とを含み得る。例えば、鉗子は、概ね「Ｘ字」形であってもよい。作動アームは、中央セクションからカンチレバーを伸長させてもよく、作動アームは各々、その中央セクションに接続されてもよい。例えば、鉗子は、概ね「Ｕ字」形であってもよい。鉗子は、少なくとも２つの作動アームを含む。
【００２２】
作動アーム（または本明細書においてアームとして議論される顎部）は、対象物が２つ以上の対向する作動アーム間に存在する場合に、対象物を把持するように、保持するように、圧搾するように、または、これらの組み合わせのために機能し得る。作動アームは、対象物を把持すること、保持すること、圧搾すること、または、これらの組み合わせを支援し得る１つ以上の把持機能を含み得る。作動アームの各々は、電力が作動アームの各々を通ることができるように、電極を含む。第１の作動アームは、第１の電極を含み、第２の作動アームは、第２の電極を含む。作動アームは、２つ以上の位置の間で可動であり得る。好適には、作動アームは、少なくとも第１の位置と第２の位置との間で可動である。例えば、作動アームは、双極構成（例えば、第１の位置）と単極構成（例えば、第２の位置）との間で可動であってもよい。第１の位置における作動アームは、オフであっても、付勢されても、一方の作動アームが付勢されても、または、これらの組み合わせであってもよい。第２の位置における作動アームはオフであってもよく、作動アームの一方もしくは両方が電気的に切断されてもよく、作動アームの一方もしくは両方が電気的に接続されてもよく、一方の作動アームが他方の作動アームによってショートさせられてもよく、または、これらの組み合わせであってもよい。より好適には、第２の位置において、作動アームは、作動アームが鉗子として用いられ得ないように動かなくされる。例えば、作動アームは、固定機構またはアーム固定機構によって、互いに接続されてもよい。作動アームは、作動アームが互いに向かって動かされた場合に動きおよび把持力を作り出すために曲がるように、可撓性があってもよい。作動アームは、屈曲しても、変形しても、弾性的に変形しても、または、これらの組み合わせであってもよい。作動アームは、付勢開放であってもよい（すなわち、作動アームについての中立位置は、アームが離れた開放状態であってもよい）。作動アームは、付勢閉鎖であってもよい（すなわち、作動アームについての中立位置は、アームがくっついた閉鎖状態であってもよい）。作動アームは、長手方向には動かず、互いに対して可動であってもよい。作動アームは、長手方向に可動であってもよく、かつ、把持力または開放力が作り出され得るように、互いに対して可動（すなわち、横方向に可動）であってもよい。作動アームは、長手方向軸、作動アームの軸、または、これらの両方を中心に回転可能であってもよい。好適には、作動アームは、回転することができず、回転され得ない。作動アームは、個々に、同時に、または、個々にでも同時にでも、後退可能および／または伸長可能であり得る。作動アームは、作動アームの１つ以上の先端領域、ブレード、または、これらの両方が露出されるように、選択的に後退可能および／または伸長可能であり得る。
【００２３】
作動アームは、先端領域を含む。先端領域は、把持すること、保持すること、圧搾すること、または、これらの組み合わせを容易にすることを支援するように構成される部分を含み得る。また、先端領域は、１つ以上の電気手術構成（例えば、単極構成、双極構成、または、両者の組み合わせ）において構成され得る。先端領域は、歯、鋸歯、ねずみ歯を含んでもよく、歯がなくても（すなわち、滑らかでも）よく、または、これらの組み合わせであってもよい。先端領域は、完全におよび／または部分的に絶縁され得る。好適には、先端領域は、電気手術エネルギーが偶然の接触を通じて伝達されないように、作動アームの非接触部分上に絶縁体を含む。先端領域は、作動アームを通じて関心のある場所へ電力を供給する１つ以上の電極を含み得る。作動アームは、アクティブな部分（すなわち、電極）と、非アクティブな部分（すなわち、絶縁された部分）とを含み得る。
【００２４】
アクティブな部分は、電力を印加するように機能し得る。アクティブな部分は、鉗子の接触領域と同じ部分であり得る。したがって、例えば、組織が鉗子の接触領域間で把持される場合、電力は、この接触領域を通じて組織へ供給され得る。作動アームのアクティブな部分は、好適には、２つの対向する作動アーム間、または各作動アームの遠位端部上にあり、ブレード電極のアクティブな部分は、作動アームを越えて伸長する部分、またはブレードの遠位端部である。アクティブな部分は、非アクティブな部分または絶縁された部分によって実質的に囲まれ得る。非アクティブな部分は、電力を供給しない任意の部分、絶縁された任意の部分、または、これらの両方であってもよい。アクティブな部分は、電力を偶然の接触を通じて伝達し得る任意の部分であってもよく、したがって、電力の偶然の伝達が発生しないように、および／または迷走電流が防がれるように絶縁される。例えば、作動アームの外側は、作動アームが関心のある組織に近接する組織に誤って接触する場合に、近接する組織が電力の伝達を受けないように、絶縁材料により覆われ得る。非アクティブな部分およびアクティブな部分は、異なる材料から作製されても、異なる材料により覆われても、または、これらの両方であってもよい。作動アーム、ブレード、または、これらの両方のアクティブな部分は、治療信号を遠隔電極へ提供し得る。
【００２５】
遠隔電極は、回路を完成させるように機能し得る。遠隔電極は、単極回路を完成させるように機能し得る。遠隔電極は、電気手術デバイスに間接的に接続され得る。遠隔電極は、電気手術デバイスに発電機を通じて接続され得る。遠隔電極は、電気手術デバイスから距離をおいて位置してもよい。遠隔電極は、接地パッド、リターンパッド、または、これらの両方であってもよい。遠隔電極は、単極電力が電気手術デバイスを通じて供給された場合にのみ、治療電流を受け取り得る。遠隔電極は、電気手術デバイスの一部でなくてもよいが、第１の構成、第２の構成、第３の構成、第４の構成、または、これらの組み合わせにおいて、ブレード、１つ以上の作動アーム、または、これらの双方と電気的に通信し得る。１つ以上の作動アームは、１つ以上の固定機構、アーム固定機構、電磁ラッチシステム、または、これらの組み合わせによって、互いに接続され得る。
【００２６】
電磁ラッチシステムは、２つの作動アームを共に係止するように、把持力を作り出すことを支援するように、作動アームを動かして離すことを支援するように、または、これらの組み合わせのために機能し得る。電磁ラッチシステムは、固定機構、アーム固定機構、または、これらの両方と共に用いられ得る。好適には、電磁ラッチシステムは、固定機構およびアーム固定機構の代わりに用いられる。電磁ラッチシステムは、作動アームを互いに対して磁気的に動かし得る。電磁ラッチシステムは、本明細書において議論される構成のうちの任意のものにおいて、作動アームを磁気的に係止し得る。電磁ラッチシステムは、１つ以上の電磁ラッチを含み得る。
【００２７】
１つ以上の電磁ラッチは、作動アームを共に係止するように、作動アームを互いに向かっておよび／または互いから離れて動かすことを支援するように、本明細書において教示される構成のうちの１つに作動アームを維持することを支援するように機能し得る。１つ以上の電磁ラッチは、第１の極が印加される場合に作動アームを共に動かし、反対の極が印加される場合に作動アームを離し得る。１つ以上の電磁ラッチは、対向する電磁ラッチ、磁気材料、金属、または、これらの組み合わせに引き付けられ得る。１つ以上の電磁ラッチは、オンおよびオフにされ得る。電磁ラッチは、遠位端部領域（すなわち、デバイスの後半部）に位置し得る。電磁ラッチは、近位端部領域（すなわち、デバイスの前半部）に位置し得る。電磁ラッチは、動かないアームに接続されていても、または、動かないアームの一部であってもよい。第１の作動アームの電磁ラッチは、第２の作動アームの電磁ラッチと接触しなくてもよい。好適には、第１の作動アームは、第１の電磁ラッチを含み、第２の作動アームは、第２の電磁ラッチを含む。各作動アームは、生成される力の量が変えられ得るように、２つ以上電磁ラッチを含んでもよい。電磁ラッチは、作動アームを弾性的に変形させて、把持力を作り出し得る。電磁ラッチは、可動接続部の周りに作動アームを動かし得る。
【００２８】
可動接続部は、ヒンジ動作、前後（すなわち、横方向）への動き、または、これらの両方を可能にするように機能し得る。可動接続部は、鉗子がデフォルト開または中立位置となるように、鉗子の把持に対抗する力（例えば、付勢力）、鉗子がデフォルト閉または中立位置となるように、把持の方向における力、または、これらの両方の組み合わせを作り出し得る。中立位置は、作動アーム間に間隙を有した状態で作動アームが開かれた位置、またはアームが閉じられた位置であり得る。可動接続部は、弾性的な原動力を作り出し得る。可動接続部は、力を生成しなくてもよく、またはエネルギーを蓄積しなくてもよい。例えば、可動接続部は、構成要素の動きを可能にしてもよく、付勢でバイスが、その構成要素を動かしてもよい。可動接続部は、堅い接続部または堅い部分（例えば、中央セクション）に対抗するピボット点を作り出し得る。可動接続部は、作動アームの一方または両方が周りを回転し、または周りを動くピンを含んでもよい。可動接続部は、ピンを有しなくてもよい。可動接続部は、撓み梁または撓むカンチレバー部分などの、撓みの場所であってもよい。堅いセクションは、可動セクションが堅いセクションの周りを動く間、動かないままであってもよい。堅いセクションは、可動セクションが動き、曲がり、旋回し、または、これらの組み合わせをし得るように、可動セクションを固定する可動接続部の一側を形成し得る。可動セクションは、可動セクションが動くように任意の形状であってよい。ピボット点は、作動アームが互いに対して（すなわち、横方向に）動くことを可能にするように機能し得る。ピボット点は、電気手術デバイスを２つの半分部分に分け得る。ピボット点は、作動アームが互いに向かっておよび互いから離れて動くことを可能にし得る。ピボット点は、作動アームを回転方向に動かし得る。ピボット点は、固定機構、電磁ラッチシステム、または、これらの両方が作動アームを共に係止することを可能にし得る。ピボット点は、作動アームと動かないアームとの間に位置してもよい。ピボット点は、作動アームが中央セクションに接続し、作動アームが互いに向かって動くように作動アームが曲がる点であってもよい。可動セクションは、１つ以上の固定機構、１つ以上の電磁ラッチシステム、または、これらの両方によって拘束され得る。
【００２９】
固定機構、アーム固定機構、または、これらの両方は、第１の作動アームおよび第２の作動アームが互いに動くことができないように、第１の作動アームを第２の作動アームに係止するように機能し得る。固定機構は、作動アームと共に横方向に可動であってもよく、作動アームが互いに押し付けられるときにはいつでも接続を形成してもよい。固定機構は、第１の作動アームと第２の作動アームとを機械的かつ直接的に接続し得る。例えば、デバイスは、第１の作動アームと第２の作動アームとの間で伸長し、作動アームが互いに対して動くことを防ぎ得る。固定機構は、第１の作動アーム、第２の作動アーム、または、第１の作動アームと第２の作動アームとの両方に特徴部を含み得る。固定機構は、第１の作動アームから第２の作動アームへ伸長する１つ以上のデバイスを含み得る。この１つ以上のデバイスは、第１の作動アームから第２の作動アームへ伸長する弾力性のある舌部であってもよい。
【００３０】
弾力性のある舌部は、第１の作動アームと第２の作動アームとの間で伸長し、第１の作動アームと第２の作動アームとを互いに接続するように機能し得る。弾力性のある舌部は、第１の作動アームの第２の作動アームに対する動きを防ぎ得る。弾力性のある舌部は、ブレードが後退している場合にのみ、伸長可能であり得る。弾力性のある舌部は、曲がって、対向するアームにおけるスロットを通って伸長して、接続を形成し得る。弾力性のある舌部は、対向する作動アームにおけるスロットを通って部分的に伸長してもよい。弾力性のある舌部は、弾力性のある舌部の主要な部分から伸長する別の舌部を有してもよく、この舌部は、ラッチと共に接続を形成してもよく、この接続は、作動アームの互いに対する動きを防ぎ得る。
【００３１】
舌部は、第１の作動アームと第２の作動アームとを接続または係止するように機能し得る。弾力性のある舌部は、１つ以上の舌部を含み得る。弾力性のあるスライダは、作動アームが異なる位置において係止され得、それにより、第１の作動アームと第２の作動アームとの間の係止位置が選択可能となるように、複数の舌部を含んでもよい。複数の舌部は、作動アームが互いに対して選択的に位置付けられること、または作動アーム間の力が選択的に選ばれることを可能にし得る。舌部は、スロット、ラッチスライダ、ラッチスライダの縁、または、これらの両方と共に接続を形成し得る。舌部は、弾力性のある舌部に対して実質的に垂直に突出し、留め金を形成し得る。舌部は、角度が付けられた部分と、平坦な部分とを有し得る。角度が付けられた部分は、一方向の動きを可能にし得る。平坦な部分は、ある方向における舌部の動きを防ぎ得る。舌部は、対向するアームにおけるスロットを通って伸長し得る。
【００３２】
スロットは、弾力性のある舌部の全部または一部がスロットを通って伸長して、係止された関係を作り出すことを許容するように機能し得る。スロットは、縁にあっても、作動アームにあってもよい。スロットは、正方形、長方形、円形、楕円形、対称的、非対称的、または、これらの組み合わせであってもよい。スロットは、舌部がスロットの壁を捕えて、作動アームの動きを防ぐことを可能にし得る。スロットは、ラッチスライダを受け入れ、弾力性のある舌部の一部がスロットを通って伸長する間に、このラッチスライダが作動アームの動きを防ぐことを許容し得る。
【００３３】
ラッチスライダは、第１の作動アームおよび第２の作動アームの動きを共に制限するように機能し得る。ラッチスライダは、舌部の一部、弾力性のある舌部、または、これらの両方に接触し、作動アームの互いに対する動きを防ぎ得る。ラッチスライダは、１つ以上の舌部の間で動いてもよく、それにより、舌部は、第１の作動アームと第２の作動アームとの間に選択的な係止を提供する。ラッチスライダは、横方向に動いて、長手方向に動いて、回転方向に動いて、または、これらの組み合わせで、作動アームが選択的に係止されること、解除されること、または、これらの両方を許容し得る。ラッチスライダは、舌部の縁に接触し、舌部と作動アームとが互いから離れて動くことを防ぎ得る。ラッチスライダは、固定機構が選択可能な機械的ラッチとなることを支援し得る。ラッチスライダおよび固定機構は、アーム固定機構の代わりに、またはアーム固定機構に加えて、用いられてもよい。しかしながら、電気手術デバイスは、いかなる固定機構も有しなくてもよく、アーム固定機構のみを含んでもよい。
【００３４】
１つ以上のアーム固定機構は、作動アームを互いに対して係止するように機能し得る。アーム固定機構は、第１の作動アームが第２の作動アームに対して動くことを防ぎ得る。アーム固定機構は、作動アームを共に係止してもよい。アーム固定機構は、第１の作動アームと第２の作動アームとを接触するように動かし得る。アーム固定機構は、ブレードを、近位部分において、同一平面となる位置において、伸張された位置において、作動アーム間において、または、これらの組み合わせにおいて係止し得る。アーム固定機構は、アームを開常態、閉状態、または、これらの両方に固定し得る。アーム固定機構は、作動アームを共に係止することなくブレードの前進を防ぎ得る。アーム固定機構は、アームが係止状態にある間に、ブレードがアーム間で長手方向に動かされ得るように、アームのいくらかの弾力性のある動きを可能にし得る。アーム固定機構は、１つ以上の固定化アーム、１つ以上の固定化部材、または、これらの両方を含み得る。
【００３５】
１つ以上の固定化アーム、１つ以上の固定化機能、または、これらの両方は、電気手術デバイスが単極構成、第２の構成、第３の構成、第４の構成、または、これらの組み合わせにある場合に、作動アームの一方または両方を固定化し得る筐体、作動アーム、または、これらの両方のうちの任意の機能であり得る。固定化アームは、作動アームに対して接続され、作動アームの一方または両方の間で伸長してもよく、ブレード電極が前進された場合、固定化アームは分離され、作動アームは互いに接触するように動かされる。固定化アームは、電気手術デバイスが第２の構成、第３の構成、および第４の構成の間で変更されるにつれて、ブレードが作動アーム間で長手方向に動かされ得るように、作動アームのいくらかの弾性的な変形を許容し得る。固定化アームは、作動アームに対して接続され、作動アームの一方または両方の間で伸長してもよく、ブレード、固定化部材、または、これらの両方が前進された場合、固定化アームは圧縮され、互いに押し付けられ、または、これらの両方であり、作動アームは互いに接触するように動かされる。固定化アームは、作動アームに対して概ね平行であってよく、作動アームと同じ方向に伸長してもよく、作動アームから離れて伸長してもよく、対向する作動アームに向かって伸長してもよく、ユーザに向かって伸長してもよく、ユーザから離れて伸長してもよく、または、これらの組み合わせであってもよい。好適には、作動アームおよび固定化アームは、概ね「Ｘ字」形を形成し、それにより、「Ｘ字」の一方の側が外側に向けて動かされた場合に、「Ｘ字」の対向する側は内側に向けて動かされる。例えば、ブレード、固定化部材、または、これらの両方が前方へ動かされるにつれて、ブレード電極は、ウェッジを含んでもよく、このウェッジは、作動アームが共に動かされるように、固定化アームを離れさせるように動作し得る。作動アームおよび固定化アームは、概ね２つの「Ｖ字」形状を形成し得る。２つの概ね「Ｖ字」形状は、一方のＶ字が広げられると、他方のＶ字が狭められるように、概ね同じ方向に伸長し得る。固定化アームは、重複してもよい。重複部分は、「Ｖ字」形状を形成し得る。例えば、１つの固定かアームは、筐体、第１の作動アーム、または、これらの両方から、第２の作動アーム、第２の作動アームに近接した筐体、または、これらの両方へ向かって伸長してもよく、第２の固定かアームは、筐体、第２の作動アーム、または、これらの両方から、第１の作動アームへ向かって伸長してもよく、ウェッジなどの固定化機能が第１の固定化アームと第２の固定化アームとの間で動かされるにつれて、固定化アームは、作動アームが接触し、固定化されるように、対向する作動アームのより近くへ動かされ得る。筐体、作動アーム、または、これらの両方は、固定化アームを有しなくてもよい。
【００３６】
２つ以上の作動アームは、固定化部材によって固定化され得る。固定化部材は、アームが単極構成において固定化されるように、鉗子が無効化されるように、または、これらの両方となるように、２つ以上の作動アームを共に接続する任意の機能であり得る。固定化部材は、アームの一部、筐体の一部、シャトルの全部もしくは一部、または、これらの組み合わせであってもよい。固定化部材は、各アームの全部または一部に沿って伸長するトラックであってもよく、シャトルが単極構成へと前方または後方へ動かされるにつれて、各トラックは、作動アームの各々が互いに接触するように、または、双極構成から逆の場合も同じである。固定化部材は、２つの作動アームを共に係止するロック、締め具、作動アームの全部もしくは一部を収容する部品、または、これらの組み合わせであってもよい。固定化部材は、作動アームをスライドさせ、圧縮する部品であっても、作動アームを捻り、放射状に圧縮する部品であっても、または、これらの両方の組み合わせであってもよい。固定化部材は、ウェッジ、リング、または、これらの両方であってもよい。固定化部材は、ウェッジが、動かされた場合に、固定化アームを分離する工程を有することなく、１つ以上の固定アームを動かすことを支援するウェッジ形状であり得る。ウェッジは、ウェッジが２つの対向する固定化アーム間に適合するように、一方の端部に先端部を備えたテーパ形状を有してもよく、ウェッジが固定化アーム間で徐々に前進させられるにつれて、ウェッジは、より広くなり、固定化アームを動かして離す。ウェッジは、概ね三角形の形状であってもよい。ウェッジは、ウェッジの先端が固定化アーム間の尖った部分に到達した場合に、ウェッジがさらに前方へ動くことを防ぐように、固定化アーム間で形成される形状の鏡像である形状を有し得る。ウェッジは、ウェッジが固定化アーム間で動かされる場合に、ウェッジが作動アームを固定化するように、電気手術デバイス、シャトル、または、これらの両方の任意の場所に位置し得る。固定化部材は、リング形状であってもよい。リング形状の固定化部材は、作動アームを固定化することを支援する任意のデバイスであり得る。リングは、電気手術デバイス、作動アーム、固定化アーム、または、これらの組み合わせの周辺、外周、または、これらの両方の全部または一部の周りに伸長し得る。リングは、電気手術デバイスの一部がリングの内側部分内に位置するように、電気手術デバイスの外側に沿って動き得る。リングは、完全な円であっても、部分的な円であっても、「Ｕ字」形であっても、デバイスの長さを完全に囲んでも、デバイスの長さを部分的に囲んでも、または、これらの組み合わせであってもよい。リングは、シャトルの一部であってもよく、シャトルであってもよく、シャトルとは別個であってもよく、ブレード電極を動かすことを支援してもよく、起動ボタンのうちの１つ以上を覆ってもよく、１つ以上の起動ボタンの下で伸長してもよく、１つ以上の起動ボタンを通って伸長してもよく、起動回路の全部もしくは一部を停止させ、固定化アームの１つ以上の完全におよび／もしくは部分的に囲んでもよく、または、これらの組み合わせであってもよい。固定化部材は、動かされ、固定化する間、ブレードを動かしてもよく、ブレードを伸長させてもよく、または、これらの両方の組み合わせであってもよい。好適には、固定化部材は、固定化アームの動きを制限するとともに、本明細書において教示される構成間でブレードを長手方向に動かす。
【００３７】
ブレードは、切除するように、単極治療電流を供給するように、先鋭な先端部を提供するように、ブレードエッジを提供するように、または、これらの組み合わせのために機能し得る。ブレードは、手術中に単極電力を印加するために用いられ得る任意のデバイス、長手方向に可動能であり、回転方向に可動であり、伸長可能であり、後退可能であり得る任意のデバイス、または、これらの組み合わせであり得る。ブレードは、動かなくてもよい。好適には、１つの実施形態において、ブレードは動かなくてもよく、作動アームは、作動アームが動かされた場合にブレードが露出されるように、ブレードに対して動かされる。より好適には、ブレードは可動である。ブレードは、遠位端部を含み得る。遠位端部は、ユーザ、把持領域、または、これらの両方に対して、電気手術デバイスの反対側の端部に位置する。ブレードは、（例えば、後退された）第１の位置、（例えば、部分的に伸長された）第２の位置、（例えば、実質的に同一平面となる）第３の位置、および（例えば、伸張された、または完全に伸長された）第４の位置を有し得る。
【００３８】
第１の位置は、ブレードが作動アームの動きに干渉することなく、作動アームが互いに対して動くことを許容するように機能し得る。第１の位置は、ブレードからの干渉なしに、治療電流が作動アーム間に流れることを可能にするように機能し得る。第１の位置は、作動アームがブレードを越えるように、ブレードが作動アームに対して位置する位置である（例えば、ブレードは後退され、それにより、作動アームは、ブレードを越えて伸長し、または、作動アームが伸長され、それにより、作動アームはブレードを越えて伸長する）。第１の位置において、ブレードの遠位端部は、作動アームの全長に近接して位置し得る。第１の位置は、ブレードが電気的に切断される位置、別のハンドピース構成部品に対して電気的にショートされる位置、電力がブレードから通ることができないように電気的に絶縁される位置、または、これらの組み合わせの位置であってもよい。第１の位置は、ブレードがハンドピース内に実質的に位置する位置、ブレードのいかなる部分も作動アーム間に伸長しない位置、または、これらの両方であってもよい。第１の位置は、第２の位置、第３の位置、第４の位置等と異なり得る。
【００３９】
第２の位置は、ブレードからの干渉なしに、作動アームが共に直接接触して位置することを許容するように機能する。第２の位置は、第１の作動アームと第２の作動アームとの間に間隙が存在するように、ブレードを部分的に伸長させるように機能する。第２の位置におけるブレードは、第１の位置におけるブレードと同じ場所にあってもよく、作動アームのみが位置を変更してもよい。第２の位置は、遠位端部が第１の作動アーム、第２の作動アーム、または、これらの両方の遠位端部の近位側に位置する位置であり得る。第２の位置は、２つ以上の治療電流を提供し得る。第２の位置は、双極治療電流のみを印加し得る。第２の位置は、作動アームから、作動アームを通じてブレードから、作動アーム間のブレードから、または、これらの組み合わせから、治療電流を印加し得る。第２の位置は、第３の位置に近接した位置を有し得る。
【００４０】
第３の位置は、第１の作動アームと第２の作動アームとの間に空間を作り出すように機能し得る。第３の位置は、ブレードからの干渉なしに、治療電流が第１の作動アームと第２の作動アームとの間に流れることを許容するように機能し得る。第３の位置は、電力がブレード電極から流れることを可能にし得る。電気手術デバイスは、第３の位置においてプローブとして用いられ得る。第３の位置は、治療電流がブレードから作動アームの一方もしくは両方へ流れること、または、この逆を可能にするように機能し得る。第３の位置は、一方または両方の作動アームと共にブレードが実質的に突出するように、実質的に同一平面になるように、または、これらの両方となるように、ブレードを伸長させ得る。第３の位置は、ブレードの遠位端部と、第１の作動アームと、第２の作動アームとの全てを実質的に整列させ得る。第３の位置は、ブレードを第１の作動アームと第２の作動アームとの間で係止させ得る。第３の位置は、第２の位置の遠位であって、かつ、第４の位置に近接して位置し得る。
【００４１】
第４の位置は、切除面、切除縁、または、これらの両方を作り出すように機能し得る。第４の位置は、ブレードを作動アーム間で伸長させて、治療電流が第１の作動アームから第２の作動アームへ通ることを中断させるように機能し得る。第４の位置におけるブレードは、完全に伸長され得る。第４の位置におけるブレードは、第１の作動アームと第２の作動アームとの間で係止され得る。ブレードは、ブレード伸長機構によって、前進または後退され得る。
【００４２】
ブレード伸長機構は、ブレードを、第１の位置、第２の位置、第３の位置、第４の位置、または、これらの組み合わせの間で動かすように機能し得る。ブレード伸長機構は、ブレードに対して間接的に接続されても、ブレードに対して間接的に接続されても、または、これらの両方であってもよい。ブレード伸長機構は、第１のスライダ、第２のスライダ、シャトル、固定化部材、または、これらの組み合わせであってもよい。ブレード伸長機構は、ユーザが本明細書において議論される位置のうちの各々にブレードを係止することができるように、１つ以上の戻り止め位置を有し得る。ブレード伸長機構は、各々の位置にブレードを係止し、次いで、ブレードを解除して、ブレードが動かされることを許容し得る。ブレード伸長機構は、電気手術デバイス、作動アーム、または、これらの両方の長手方向軸に沿って（すなわち、近接方向または遠位方向に）動き得る。ブレード伸長機構は、１つ以上の付勢デバイスの支援により動いてもよい。
【００４３】
付勢デバイスは、電気手術デバイスの１つ以上の構成要素を後退および／または前進させるように動作し得る任意のデバイスであり得る。付勢デバイスは、双極構成にある場合に、電気手術デバイスの作動アームを分離させるように動作し得る。付勢デバイスは、構成のうちの１つ以上の間でブレードおよび／もしくはシャトルを押してもよく、１つ以上の構成からブレードおよび／もしくはシャトルを引っ張ってもよく、または、これらの組み合わせであってもよい。付勢デバイスは、シャトル、第１のスライダ、第２のスライダ、ブレード、作動アーム、単極電極、ブレード、または、これらの組み合わせが完全に伸長された位置、実質的に同一平面となる位置、部分的に伸長された位置、完全に後退された位置、または、これらの組み合わせとなることを確保し得る。例えば、ユーザがシャトルまたはスライダを前方位置に向かって動かし、急に止めた場合、付勢デバイスは、その動きを最終的な位置まで完了させ得る。付勢デバイスは、デバイスおよび／または機能が双安定、三安定、または四安定となるように、本明細書において議論されるデバイスおよび／または機能のうちの任意のものを動かすことを支援し得る。例えば、付勢デバイスは、ブレード電極が常に完全に伸長されるか、または完全に後退され、これらの間に位置しないことを確保し得る。付勢デバイスは、ばね、ゴムの部品、エラストマー部品、付勢表面を形成する金属における屈曲、戻り止め、または、これらの組み合わせであってよい。付勢デバイスが、屈曲された金属である場合、この金属は、１つよりも多い平面を曲げ形成し得る。第１の平面は、第１の表面に接触し、第２のアームは、２つの対向する電気手術構成要素が動かされるように、第２の表面に接触し得る。付勢デバイスは、ブレード、シャトル、第１のスライダ、第２のスライダ、作動アーム間、または、これらの組み合わせに対して接続され得る。
【００４４】
シャトルは、１つ以上の起動ボタンを覆うように、ブレードを動かすように、作動アームの一方もしくは両方を動かすように、電気手術デバイスの１つ以上の機能を固定化および／または電気的に切断するように、１つ以上の起動ボタンを固定化するように、１つ以上の起動ボタンの動きおよび／または押下を妨げるように、１つ以上の固定化アームを動かすように、１つ以上のスライダを動かすように、複数のスライダを同時に動かすように、または、これらの組み合わせのために機能し得る。シャトルは、個体部品であり得る。シャトルは、１つ以上の位置、好適には、複数の位置を含み得る。好適には、シャトルは、少なくとも第１の位置、第２の位置、第３の位置、第４の位置、または、これらの組み合わせを含む。シャトルは、トラック上をスライドすることによって動かされ得る。シャトルは、ブレードを動かすスライダ組立体であってもよい。シャトルは、１つ以上のスライダに対して接続されて可動であってもよい。シャトルは、第１のスライダと第２のスライダとを共に接続し得る。シャトルは、複数のスライダ上にスナップ留めされ得る。シャトルは、複数のスライダを共に横要綱に接続し得る。シャトルは、２つ以上のスライダを共に接続し得る別個の部品であってもよい。例えば、シャトルは、作動アームが共に係止され、かつ、ブレードが伸長され得るように、または、作動アームが解除され、かつ、ブレードが後退されるように、複数のスライダを動かし得る。別の例において、シャトルは、ブレード電極を前方位置に係止し、電気手術デバイスが単極使用のために構成されている場合には、作動アームの両方を固定化し得る。シャトルは、戻り止め、対応する凹所に係止する突起、機械的インターロック、摩擦適合、機械的ロック、または、これらの組み合わせによって係止し得る。シャトルは、電気手術デバイスの一方または両方の作動アームに対して接続され得る。シャトルは、固定化部材に対して直接接続されてもよい。
【００４５】
第１のスライダ、第２のスライダ、または、これらの両方は、電気手術デバイスの１つ以上の要素を動かして、電気手術デバイスを係止するように、電気手術デバイスを再構成するように、電気手術デバイスを解除するように、１つ以上の起動ボタンを起動を防ぐように、または、これらの組み合わせのために機能する。第１のスライダ、第２のスライダ、または、これらの両方は、電気手術デバイスに沿って長手方向に動き得る。第１のスライダは、いくつかの構成において第２のスライダの動きを防いでもよく、または、この逆もまた同様である。電気手術デバイスは、１つのスライダのみを含んでもよい。スライダは、動かされた場合に、作動アームを係止および解除し、ブレードを伸長および後退させ得る。スライダは、作動アームを係止および解除のみしても、または、ブレードを伸長および後退のみさせてもよい。例えば、第１のスライダは、作動アームを係止および解除し、第２のスライダは、ブレードを伸長および後退させてもよく、または、この逆も同様である。第１のスライダ、第２のスライダ、または、これらの両方は、固定化部材を含んでもよく、電磁ラッチシステムを駆動させてもよく、または、これらの両方であってもよい。第１のスライダ、第２のスライダ、または、これらの両方は、作動アームの両方を共に動かすシャトルによって、共に接続され得る。第１のスライダ、第２のスライダ、または、これらの両方は、異なる電気モードまたは電気機能が適応され得るように（例えば、単極切除、単極凝固、双極切除、双極凝固）、第１のスライダおよび第２のスライダが本明細書において教示される様々な構成間で動かされるにつれて、起動ボタンを覆い、および覆いを外し得る。
【００４６】
図１Ａは、図示されるように、鉗子２０として構成された電気手術デバイス１０の上面図である。鉗子２０は、第１の作動アーム（または顎部）２２と、第２の作動アーム（または顎部）２４とを含む。電気手術デバイス１０は、第１の作動アーム２２と第２の作動アーム２４とが互いに対して可動である第１の構成１００において示されている。ブレード３２は、先端３１内にブレード電極３０を有した先端３１を含む。ブレード３２は、第１の作動アーム２２と第２の作動アーム２４との間に位置する。電気手術デバイス１０は、第１のスライダ３４と、第１のスライダ３４に隣接して位置する第２のスライダ３８とを近位位置（例えば、第１の位置）において含む。図示されるように、第１のスライダ３４および第２のスライダ３８は、第２のスライダ３８が第１のスライダ３４を適切な位置に係止するように、近位位置に位置する。
【００４７】
図１Ｂは、電気手術デバイス１０の上面図である。電気手術デバイス１０は、第１の作動アーム２２と第２の作動アーム２４とが直接接触し、係止された位置にある第２の構成１０２において示されている。ブレード３２は、ブレード３２が図示されるように作動アーム間に位置しないように、先端３１が第１の作動アーム２２および第２の作動アーム２４に近接して位置した状態で、電気手術デバイス１０内に位置する。第２のスライダ３８は、第１のスライダ３４が第２のスライダ３８によって制限されない第２の位置において示されている。第２のスライダ３８は、第１の作動アーム２２および第２の作動アーム２４の互いに対する動きを制限するアーム固定機構９０として動作する。第１のスライダ３４は、近位位置（例えば、第１の位置）に位置し、ブレード３２を作動アーム２２、２４間に近接して保つ。
【００４８】
図１Ｃは、電気手術デバイス１０の上面図である。電気手術デバイス１０は、ブレード３２が第１の作動アーム２２と第２の作動アーム２４との間に伸長した状態で、第１の作動アーム２２および第２の作動アーム２４が係止された位置にあり、それにより、第１の作動アーム２２がブレード３２に対して第１の側で接触し、第２の作動アームがブレード３０に対して第２の側で接触する第３の構成１０４において示されている。ブレード３２は、第１のスライダ３４でもあるブレード伸長機構５０によって、第１の作動アーム２２と第２の作動アーム２４との間で伸長されており、それにより、先端３１は、第１の作動アーム２２の遠位端部４６と、第２の作動アーム２４の遠位端部４８と実質的に同一平面となる。遠位端部４６、４８は、電気手術デバイスの、ユーザに対して最も近くに位置する近位端部４９の反対側の端部に位置する。第２のスライダ３８は、第２の位置にあり、第１のスライダ３４は、第１のスライダ３４がブレード３２を前進させる中間位置（例えば、第２の位置）へと動かされ、それにより、先端３１は、第１の作動アーム２２の遠位端部４６と、第２の作動アーム２４の遠位端部４８と同一平面となる。第２のスライダ３８は、ブレード３２が伸長される間、第１の作動アーム２２および第２の作動アーム２４の動きを制限するアーム固定機構９０である。
【００４９】
図１Ｄは、第４の構成１０６における電気手術デバイス１０の上面図を例示する。第４の構成１０６において、ブレード３２は、ブレード電極２０を含む先端３１が第１の作動アーム２２の遠位端部４６および第２の作動アーム２４の遠位端部４８を越えて伸長するように、ブレード伸長機構５０によって伸長される。遠位端部４６、４８は、電気手術デバイスの、ユーザに対して最も近くに位置する近位端部４９と反対側の端部に位置する。第２のスライダ３８は、第２の位置にあり、第２のスライダ３８は、遠位位置（例えば、第３の位置）へ動かされる第１のスライダ３４によって、適切な位置に係止される。第１のスライダ３４は、中間位置から遠位位置へ動かされるにつれて、先端３１が作動アーム２２、２４を越えて伸長する位置へブレード３２を前進させる。第２のスライダ３８は、ブレード３２が伸長される間、第１の作動アーム２２および第２の作動アーム２４の動きを制限するアーム固定機構９０である。
【００５０】
図２Ａは、第１の構成１００における電気手術デバイス１０を鉗子２０として例示する。電気手術デバイス１０は、第２の作動アーム２４に対向している第１の作動アーム２２を、これらの間にブレード３２を有した状態で含む。ブレード３２は、ブレード３０の遠位端部３６が作動アーム２２、２４に近接して位置する後退状態にある。電気手術デバイス１０は、アーム固定機構９０を含む。アーム固定機構９０は、対向する固定化アーム９２のペアを含む。固定化アーム９２は、作動アーム２２、２４に対向して位置し、反対方向へ伸長する。固定化部材９４は、固定化アーム９２の端部に近接した第１の位置に位置し、固定化アーム９２間の間隙と一致し、これらのアームは、横方向に沿って自由に動くことができる。
【００５１】
図２Ｂは、アーム固定機構９０の固定化部材９４が、固定化アーム９２間の第２の位置へと、示された距離だけ、前方へ動かされた、電気手術デバイス１０の第２の構成１０２を例示する。固定化デバイスは、固定化アーム９２を離して係止し、アーム固定機構９０が動くにつれて、ブレード３０を第１の作動アーム２２と第２の作動アーム２４との間で等しい距離だけ前方へ前進させる。ブレード３２の遠位端部３６は、ブレード伸長機構５０でもある固定部材によって、作動アーム２２、２４の遠位端部に向かって動かされるが、ブレード３２は、作動アーム２２、２４の端部の内部になお位置する。
【００５２】
図２Ｃは、アーム固定機構９０の固定化部材９４が固定化アーム９２間の第３の位置へと前方へ前進された、電気手術デバイス１０の第３の構成１０４を例示する。アーム固定機構９０を第３の位置へ前進させる際、固定化アーム９２および作動アーム２２、２４は、係止されたままであり、ブレード３２の先端３６は、ブレード伸長機構５０によって、第１の作動アーム２２および第２の作動アーム２４の遠位端部と同一平面となるように動かされる。
【００５３】
図２Ｄは、固定化部材９４がさらに前進することが防がれる、アーム固定機構９０の固定化部材９４が固定化アーム９２間の第４の位置へ前進された、電気手術デバイス１０の第４の構成１０６を例示する。ブレード伸長機構５０でもある固定化部材９４を前進させる際、ブレード３２の先端３６が第１の作動アーム２２および第２の作動アーム２４の遠位端部を越えて伸長するように、ブレード３２も前進させられる。図２Ｄは、ブレード３２および固定化部材９４が第１の構成１００、第２の構成１０２、および第３の構成１０４に対して動かされる距離を例示する。
【００５４】
図３は、電磁ラッチシステム１２０であるアーム固定機構９０を含む電気手術デバイス１０を例示する。電気手術デバイス１０は、第１の作動アーム２２と第２の作動アーム２４との間にブレード３２を有した状態で、第１の作動アーム２２および第２の作動アーム２４を有する鉗子２０として構成されている。ピボット点１２８は、第１の作動アーム２２と第２の作動アーム２４とを接続し、それにより、作動アームは、把持力を作り出すように互いに可動となる。図示されるように、第１の電磁ラッチ１２２および第２の電磁ラッチ１２４は、ピボット点１２８の近位側に位置する。ピボット点１２８の近位側は、作動アーム２２、２４の伸長部であっても、または固定化アーム９２であってもよい。図示されるように、ピボット点１２８の近位側は、作動アーム２２、２４の伸長部である。電磁ラッチシステム１２０が起動されると、第１の電磁ラッチ１２２は、第２の電磁ラッチ１２４から離されて、把持力を作り出し、または、電磁ラッチシステム１２０は逆に起動されて、それにより、第１の電磁ラッチ１２２は、第２の電磁ラッチ１２４に向かって引き付けられて、鉗子を開き、把持力を解放する。
【００５５】
図４は、電磁ラッチシステム１２０である固定デバイス９０を含む電気手術デバイス１０を例示する。電気手術デバイス１０は、第１の作動アーム２２と第２の作動アーム２４との間にブレード３２を有した状態で、第１の作動アーム２２および第２の作動アーム２４を有する鉗子２０として構成されている。図示されるように、ピボット点１２８は、第１の作動アーム２２と第２の作動アーム２４とを接続し、それにより、作動アームは、把持力を作り出すように互いに対して可動となる。ただし、作動アーム２２、２４は、図１Ａ〜図１Ｄにおいて上記で示されたように、中央部分または本体部分からカンチレバーを伸長させてもよい。作動アーム２２、２４は、第１の作動アーム２２と第２の作動アーム２４との間にブレード３２を有した状態で、第１の作動アーム２２において第１の電磁ラッチ１２２を、第２の作動アーム２４においては第２の電磁ラッチ１２４を含む。電磁ラッチシステム１２０が起動されると、第１の電磁ラッチ１２２は、第２の電磁ラッチ１２４に向かって動かされて、把持力を作り出し、または、電磁ラッチシステム１２０は、逆に起動されて、それにより、第１の電磁ラッチ１２２は第２の電磁ラッチ１２４からはね返され、鉗子を開き、把持力を解放する。
【００５６】
図５は、図示されるように、第１の作動アーム２２および第２の作動アーム２４を共に固定するアーム固定機構９０でもある固定機構７０の詳細図を例示する。第１の作動アーム２２は、弾力性のある舌部８２を、この弾力性のある舌部８２の一側から突出する舌部８４と共に含む。第２の作動アーム２４は、弾力性のある舌部８２が内部に伸長するスロット８３を含む。第２の作動アーム２４は、第１の作動アーム２２および第２の作動アーム２４を共に係止するラッチスライダ８６を含む。ラッチスライダ８６は、外側へ伸長し、弾力性のある舌部８２の舌部８４と接触する前方端部８７を含む。ラッチスライダ８６と舌部８４との両方は、動かされて接触させられた場合に、第１の作動アーム２２と第２の作動アーム２４とが分離されることを防ぐ平坦な部分を含む。ラッチスライダ８６は、作動アームの長手方向軸に沿って動かされて、舌部８４を解放することができ、それにより、作動アームは、再び互いに対して可動となる。
【００５７】
本明細書において記載されるいかなる数値も、任意のより低い値と任意のより高い値との間に少なくとも２単位の隔たりが存在するならば、より低い値からより高い値までのあらゆる値を１単位ごとに含む。例として、ある構成要素の量またはあるプロセス変数の値、例えば、温度、圧力、時間等などが、例えば、１から９０、好適には、２０から８０、より好適には、３０から７０であることが記載される場合、１５から８５、２２から６８、４３から５１、３０から３２等などの値はこの明細書において明示的に列挙されることが意図される。１未満である値については、１つの単位は、必要に応じて、０．０００１、０．００１、０．０１または０．１であるとみなされる。これらは、何が具体的に意図されているかの例に過ぎず、列挙される最も低い値と最も高い値との間の数値の全ての取り得る組み合わせは、同様に本明細書において明示的に記載されるものとみなされるべきである。
【００５８】
特に断りがない限り、あらゆる範囲は、両方の端点と、端点間の全ての数字とを含む。ある範囲に関連した「約」または「およそ」の使用は、その範囲の両方の限界に対して適用される。したがって、「約２０から３０」とは、少なくとも特定された端点を含めて、「約２０から約３０」に及ぶことが意図される。
【００５９】
特許出願および特許公報を含む、全ての論文および参考文献の開示内容を、あらゆる目的のために引用して援用する。組み合わせを説明するための、「から実質的に成る」という表現は、識別される要素、原料、構成要素またはステップと、その組み合わせの基本的かつ新規な特性に著しい影響を及ぼさない他の要素、原料、構成要素またはステップとを含むべきである。本明細書における要素、原料、構成要素またはステップの組み合わせを説明するための「備える」または「含む」という表現の使用も、その要素、原料、構成要素またはステップから実質的に成る実施形態を予期する。本明細書における、「得る」という表現の使用によって、含まれ「得る」任意の説明される属性は随意的であることが意図される。
【００６０】
複数の要素、原料、構成要素またはステップは、単一の一体化された要素、原料、構成要素またはステップによって提供され得る。あるいは、単一の一体化された要素、原料、構成要素またはステップは、別個の複数の要素、原料、構成要素またはステップへと分割されてもよい。要素、原料、構成要素またはステップを説明するための「ある」または「１つの」という開示は、付加的な要素、原料、構成要素またはステップ除外することを意図しない。
【００６１】
上記の説明は、例示となることが意図され、制限となることは意図されないことが理解される。提供された例に加えて多くの適用例だけでなく多くの実施形態が、上記の説明を読めば、当業者には明らかとなるであろう。したがって、本教示の範囲は、上記の説明を参照して決定されるべきではなく、代わりに、添付の特許請求の範囲を参照しつつ、そのような特許請求の範囲に認められる均等物の全範囲と共に決定されるべきである。特許出願および特許公報を含む、全ての論文および参考文献の開示内容を、あらゆる目的のために引用して援用する。本明細書において開示されている主題の任意の態様の、下記の特許請求の範囲における省略は、そのような主題の放棄ではなく、本発明者らがそのような主題を開示された発明の主題の一部であるとして考慮しなかったと考えられるべきでもない。
【図１Ａ】
0006448762.tif 000002
【図１Ｂ】
0006448762.tif 000003
【図１Ｃ】
0006448762.tif 000004
【図１Ｄ】
0006448762.tif 000005
【図２Ａ−２Ｄ】
0006448762.tif 000006
【図３】
0006448762.tif 000007
【図４】
0006448762.tif 000008
【図５】
0006448762.tif 000009